(57)【要約】【課題】  携帯状態から伸長状態が得られる操作部を複数有し、使用者の嗜好や使用する形態、状況等に対応して、各操作部を選択的に操作可能な携帯端末を提供する。【解決手段】  携帯端末１０は、上筐体１１および下筐体１２と、上筐体１１および下筐体１２の境界線に沿って配置された回動軸１３を中心として上筐体１１および下筐体１２を相対的に回動可能に連結する連結部１４と、上下の筐体１１，１２を自動的に開くワンプッシュ自動開き機構１５と、ワンプッシュ自動開き機構１５を操作して上下の筐体１１，１２を開く解除手段１６とを備える。この携帯端末１０は、解除手段１６の第１操作部１７および第２操作部１８がそれぞれ連結部１４の両端部に設けられ、第１操作部１７および第２操作部１８が連動可能である。【選択図】    図３
2006324927.tif 000002
【特許請求の範囲】
【請求項１】
上筐体および下筐体と、
前記上筐体および前記下筐体の境界線に沿って配置された回動軸を中心として前記上筐体および前記下筐体を相対的に回動可能に連結する連結部と、
前記上筐体の表面および前記下筐体の表面が対面するように前記上筐体および前記下筐体が積層される携帯状態から、前記上筐体の表面および前記下筐体の表面が略同一方向を向くように前記上筐体および前記下筐体が配列される伸長状態に移行するように前記連結部を介して前記上筐体および前記下筐体を相対的に付勢する付勢手段と、
前記付勢手段の付勢力を規制することにより前記携帯状態を維持する規制部材と、
前記規制部材の規制状態を解除して前記付勢力を開放することにより前記伸長状態に移行させる解除手段とを備え、
前記解除手段の第１操作部および第２操作部がそれぞれ前記連結部の両端部に設けられた携帯端末であって、
前記第１操作部および前記第２操作部が連動可能であることを特徴とする携帯端末。
【発明の詳細な説明】
【技術分野】
【０００１】
本発明は、上下の筐体を連結部で相対的に回動可能に連結し、二つ折りの携帯状態から伸長状態に移行可能な携帯端末に関する。
【背景技術】
【０００２】
携帯電話のなかには、二つ折りタイプの携帯端末がり、この二つ折りタイプの携帯端末は、表面に表示部を備えた上筐体と、表面に操作部を備えた下筐体とが連結部で回動可能に連結されている。
【０００３】
二つ折りタイプの携帯端末によれば、上筐体および筐体を連結部で回動することにより、上筐体の表面および下筐体の表面が対面するように上下の筐体を積層させた携帯状態から、上筐体の表面および下筐体の表面が略同一方向を向くように上下の筐体を伸長状態に移行させることができる。
【０００４】
そして、近年では、使用者が携帯端末を携帯状態から伸長状態に片手で移行できるように、携帯端末に付勢手段、規制手段や解除部材を有したものが提案されている。
この携帯端末は、図６に示すように、解除部材の操作部が、連結部における一方の端部に設けられ、操作部を使用者が操作（押圧）することにより上下の筐体１０３，１０４携帯状態から伸長状態（図示の状態）に移行させることができる。
【０００５】
ところで、使用者の嗜好や使用する形態、状況等に対応できるように、連結部の両端部に操作部が設けられた携帯端末が考えられる（例えば、特許文献１）。
【特許文献１】特開２００２−３３５３１６号公報
【発明の開示】
【発明が解決しようとする課題】
【０００６】
しかしながら、特許文献１は、携帯状態あるいは伸長状態から、図７に示す上筐体１１０および下筐体１１１が略直角となる中間状態にするために、両端部の操作部１１２，１１３を同時に操作したときにのみ規制が解除される。
すなわち、特許文献１は、操作部１１２，１１３の各操作を使用者が選択的に操作した際には機能せず、使用者の嗜好や使用形態、状況等に対応するものではない。
【０００７】
本発明は、携帯状態から伸長状態が得られる操作部を複数有するとともに、使用者の嗜好や使用する形態、状況等に対応して、各操作部を選択的に操作可能な携帯端末を提供することにある。
【課題を解決するための手段】
【０００８】
本発明の携帯端末は、上筐体および下筐体と、前記上筐体および前記下筐体の境界線に沿って配置された回動軸を中心として前記上筐体および前記下筐体を相対的に回動可能に連結する連結部と、前記上筐体の表面および前記下筐体の表面が対面するように前記上筐体および前記下筐体が積層される携帯状態から、前記上筐体の表面および前記下筐体の表面が略同一方向を向くように前記上筐体および前記下筐体が配列される伸長状態に移行するように前記連結部を介して前記上筐体および前記下筐体を相対的に付勢する付勢手段と、
前記付勢手段の付勢力を規制することにより前記携帯状態を維持する規制部材と、前記規制部材の規制状態を解除して前記付勢力を開放することにより前記伸長状態に移行させる解除手段とを備え、前記解除手段の第１操作部および第２操作部がそれぞれ前記連結部の両端部に設けられた携帯端末であって、前記第１操作部および前記第２操作部が連動可能であることを特徴とする。
【０００９】
解除手段の第１操作部および第２操作部をそれぞれ連結部の両端部に設け、第１操作部および第２操作部を連動可能とした。
これにより、第１操作部および第２操作部のいずれか一方を操作することで、規制部材の規制状態を解除して上下の筐体を伸長状態に移行させることが可能になり、携帯状態から伸長状態が得られる操作部を複数有することができる。
【発明の効果】
【００１０】
本発明によれば、携帯状態から伸長状態が得られる操作部を複数有するとともに、使用者の嗜好や使用する形態、状況等に対応して、各操作部を選択的に操作できるという効果を有する。
【発明を実施するための最良の形態】
【００１１】
図１〜図２に示すように、第１実施形態の携帯端末１０は、上筐体１１および下筐体１２と、上筐体１１および下筐体１２の境界線に沿って配置された回動軸１３を中心として上筐体１１および下筐体１２を相対的に回動可能に連結する連結部１４と、上下の筐体１１，１２を自動的に開くワンプッシュ自動開き機構１５（図３参照）と、ワンプッシュ自動開き機構１５を操作して上下の筐体１１，１２を開く解除手段１６とを備える。
【００１２】
この携帯端末１０は、解除手段１６の第１操作部１７および第２操作部１８がそれぞれ連結部１４の両端部に設けられ、第１操作部１７および第２操作部１８が連動可能である。
【００１３】
上筐体１１は、表面１１Ａの略中央に主表示部２１を備え、主表示部２１の上方に自分撮りカメラ２２やレシーバ２３を備える。さらに、上筐体１１は、裏面１１Ｂに装飾用のジャケット２４をボルト止めし、ジャケット２４の略中央に副表示部２５を備え、上端部に相手撮りカメラ２６や照明２７を備える。
【００１４】
下筐体１２は、表面１２Ａの略中央に主操作部２８のキー２９を備え、主操作部２８の下方にマイクロフォン３１を備える。
連結部１４は、上筐体１１の下端部と下筐体１２の上端部とを回動自在に支持するものである。
【００１５】
図３に示すように、ワンプッシュ自動開き機構１５は、上筐体１１の表面１１Ａおよび下筐体１２の表面１２Ａが対面するように上筐体１１および下筐体１２が積層される携帯状態（図２の状態）から、上筐体１１の表面１１Ａおよび下筐体１２の表面１２Ａが略同一方向を向くように上筐体１１および下筐体１２が配列される伸長状態（図１、図３の状態）に移行するように連結部１４を介して上筐体１１および下筐体１２を相対的に付勢する付勢手段と、付勢手段の付勢力を規制することにより上下の筐体１１，１２を携帯状態に維持する規制部材とを備える。
【００１６】
前記付勢手段は、一例として、コイルばねの一端部を上筐体１１に係止させ、コイルばねの他端部を下筐体１２に係止させることにより、コイルばねの付勢力で上下の筐体１１，１２を互いに開く方向に付勢するものである。
【００１７】
前記規制部材は、解除手段１６に連動することで、付勢手段の付勢力を規制する状態と、付勢手段の付勢力を規制しない状態とに切り換え可能なものである。
【００１８】
解除手段１６は、前記規制部材の規制状態を解除して付勢力を開放することにより上下の筐体を伸長状態に移行させるものである。
【００１９】
この解除手段１６は、ワンプッシュ自動開き機構１５の左側にプッシュ棒３５を同軸上に配置し、プッシュ棒３５の左端部、すなわち下筐体１２の左端部に第１操作部（左側の操作釦）１７を備え、プッシュ棒３５に第１ラック３５Ａを形成し、第１ラック３５Ａに歯車３７を噛み合わせ、歯車３７を下筐体１２に回転自在に取り付け、歯車３７に第２ラック３８Ａを噛み合わせ、第２ラック３８Ａを連接棒３８に形成し、連接棒３８の右端部３８Ｂを下筐体１２の右端部まで延ばし、右端部３８Ｂに第２操作部（右側の操作釦）１８を備える。
【００２０】
すなわち、解除手段１６は、第１、第２のラック３５Ａ，３８ａおよび歯車３７を用いて第１操作部１７および第２操作部１８を連動可能に構成したものである。
【００２１】
プッシュ棒３５には、第１操作部１７を左方向に付勢することで、第１操作部１７を待機位置に保持する復帰ばねを備える。
連接棒３８には、第２操作部１８を右方向に付勢することで、第２操作部１８を待機位置に保持する復帰ばねを備える。
【００２２】
次に、第１実施形態の携帯端末１０の操作例を図３、図４に基づいて説明する。
第１実施形態の携帯端末１０によれば、図３に示すように、第１操作部１７を矢印方向に押圧して操作することで、プッシュ棒３５が矢印方向に移動する。これにより、プッシュ棒３５で前記規制部材の規制状態を解除して上下の筐体１１，１２を伸長状態に移行させる。
このとき、歯車３７が時計回り方向に回転し、連接棒３８および第２操作部１８が矢印方向に移動する。
【００２３】
一方、図４に示すように、第２操作部１８を矢印方向に押圧して操作することで、連接棒３８が矢印方向に移動する。歯車３７が時計回り方向に回転し、プッシュ棒３５が矢印方向に移動する。これにより、プッシュ棒３５で前記規制部材の規制状態を解除して上下の筐体１１，１２を伸長状態に移行させる。
【００２４】
第１実施形態の携帯端末１０によれば、解除手段１６の第１操作部１７および第２操作部１８をそれぞれ連結部１４の両端部に設け、第１操作部１７および第２操作部１８を連動可能とした。
【００２５】
よって、第１操作部１７および第２操作部１８のいずれか一方を操作することで、前記規制部材の規制状態を解除して上下の筐体１１，１２を伸長状態に移行させることが可能になり、携帯状態から伸長状態が得られる操作部１７，１８を複数有することができる。
これにより、使用者の嗜好や使用する形態、状況等に対応して、各操作部１７，１８を選択的に操作できる。
【００２６】
また、第１実施形態の携帯端末１０によれば、第１操作部１７および第２操作部１８が連動可能に連結しているので、使用者が第１操作部１７および第２操作部１８を同時に押下した場合、第１操作部１７および第２操作部１８のうちの何れか一方のみを押下した場合よりも少ない力で押下できる。
したがって、第１実施形態の携帯端末１０によれば、従来に比較して使用者が軽い力で伸長状態ができるので、使用感が良いという効果を有する。
【００２７】
次に、第２実施形態の携帯端末５０を図５に基づいて説明する。なお、第２実施形態の携帯端末５０において第１実施形態と同一類似部材については同一符号を付して説明を省略する。
図５に示すように、第２実施形態の携帯端末５０は、解除手段５１をリンク機構を用いて第１操作部１７および第２操作部１８を連動可能に構成したもので、その他の構成は第１実施形態の携帯端末１０と同じである。
【００２８】
解除手段５１は、ワンプッシュ自動開き機構１５の左側にプッシュ棒５２を同軸上に配置し、プッシュ棒５２の左端部、すなわち下筐体１２の左端部に第１操作部１７を備え、プッシュ棒５２を平行リンク５３を介して連接棒５４に連結し、平行リンク５３を下筐体１２にピン５５を軸にして回動自在に設け、連接棒５４の右端部５４Ａを下筐体１２の右端部まで延ばし、右端部５４Ａに第２操作部１８を備える。
【００２９】
第２実施形態の携帯端末５０によれば、第１操作部１７を矢印方向に押圧して操作することで、プッシュ棒５２が矢印方向に移動する。これにより、プッシュ棒５２で前記規制部材の規制状態を解除して上下の筐体１１，１２を伸長状態に移行させる。
このとき、平行リンク５３がピン５５を軸にして時計回り方向に回転し、連接棒５４および第２操作部１８が矢印方向に移動する。
【００３０】
一方、第２操作部１８を押圧して操作することで、連接棒５４が矢印方向に移動する。平行リンク５３がピン５５を軸にして時計回り方向に回転し、プッシュ棒５２が矢印方向に移動する。これにより、プッシュ棒５２で前記規制部材の規制状態を解除して上下の筐体１１，１２を伸長状態に移行させる。
【００３１】
以上説明したように、第２実施形態の携帯端末５０によれば、第１実施形態の携帯端末１０と同様の効果を得ることができる。
すなわち、第２実施形態の携帯端末５０によれば、前述した第１実施形態と同様に、従来に比較して使用者が軽い力で伸長状態ができるので、使用感が良いという効果を有する。
【００３２】
なお、前記実施形態で例示した第１、第２の操作部１７，１８、プッシュ棒３５，５２および連接棒３８，５４の形状は、これに限らないで、適宜変更が可能である。
【００３３】
また、前記実施形態では、携帯端末として二つ折りの携帯電話を例示したが、これに限定するものではない。
【産業上の利用可能性】
【００３４】
本発明は、上下の筐体を連結部で相対的に回動可能に連結し、二つ折りの携帯状態から伸長状態に移行可能な携帯端末への適用に好適である。
【図面の簡単な説明】
【００３５】
【図１】本発明に係る第１実施形態の携帯端末を伸長状態に開いた斜視図である。
【図２】第１実施形態に係る携帯端末を携帯状態に二つ折りした斜視図である。
【図３】第１実施形態に係る携帯端末のワンプッシュ自動開き機構を説明する図である。
【図４】第１実施形態に係る携帯端末のワンプッシュ自動開き機構の操作を説明する図である。
【図５】第２実施形態に係る携帯端末のワンプッシュ自動開き機構を説明する図である。
【図６】従来の携帯端末を説明する図である。
【図７】従来のもう一つの携帯端末を説明する図である。
【符号の説明】
【００３６】
１０，５０  携帯端末
１１  上筐体
１２  下筐体
１３  回動軸
１４  連結部
１５  ワンプッシュ自動開き機構
１６，５１  解除手段
１７  第１操作部
１８  第２操作部
【図１】
2006324927.tif 000003
【図２】
2006324927.tif 000004
【図３】
2006324927.tif 000005
【図４】
2006324927.tif 000006
【図５】
2006324927.tif 000007
【図６】
2006324927.tif 000008
【図７】
2006324927.tif 000009